(57)【特許請求の範囲】
【請求項１】
筐体内に伝送ローラー及び排出ローラーを収容してなり、伝送ローラーと排出ローラーとの間にはカード分離ローラーを設けてなり、一枚目のカードが伝送ローラーの排出口方向の回転を通過して送出される時、排出口と反対方向に逆回転するカード分離ローラーにより重なったカードを分離した後、カード分離ローラーが正回転し一枚目のカードを排出ローラーの方向に送出し、二枚目のカードを伝送ローラーにより後部に移動或いは元の位置に停滞させるとともに、前記伝送ローラーと排出ローラーとの間に調整装置を設置してなり、調整装置は調整板及びカード分離ローラーを具有し、カード分離ローラーは調整板の移動に連動して上下に移動することを特徴とした、二枚のカードが同時に排出されることを防止するカード排出方法。
【請求項２】
前記筐体は中空の収容体にてなり、筐体内には基板を備えてなり、基板上部の中空部には予めカードを積み重ねておける収容空間が形成されてなり、基板下部の中空部には伝送ローラーを収容する収容空間が形成されてなり、更に基板の片側には排出口を設けてなり、排出ローラーは伝送ローラー及び排出口の間に位置してなることを特徴とした、請求項１に記載の二枚のカードが同時に排出されることを防止するカード排出方法。
【請求項３】
前記調整装置は台座上の螺子孔につまみを螺合してなり、つまみを動かすことで該調整装置の調整板を上下に移動させ、調整板の片側は前面の導引部に向かって延伸してなり、導引部の前面には調整装置のカード分離ローラーを設置してなることを特徴とした、請求項１に記載の二枚のカードが同時に排出されることを防止するカード排出方法。
【請求項４】
前記カード分離ローラーは楕円状にてなることを特徴とした、請求項１に記載の二枚のカードが同時に排出されることを防止するカード排出方法。
【発明の詳細な説明】
【技術分野】
【０００１】
本発明は、２枚のカードが同時に排出されることを防止するカード排出方法に関し、特にカードを排出する際、確実に一度につき一枚のカードだけを排出するカード排出方法に関する。
【背景技術】
【０００２】
現在、テレホンカード、ＩＣカード販売機は非常に便利な機器であり、相関する製品の応用は更に広がり、様々なカード形式の物品は、カード排出機により自動化の方向へと設計の重点が置かれいる。これは、一般的なカードの厚さは均等であり差は非常に小さいが、寸法上わずかな差によりカードを排出時にカードがつまる或いは円滑に排出されない等の問題が発生し易くなり、それでも販売機等では各種カードが円滑にカード排出口より排出される必要があり、メーカーは改良の重点項目としている。
【０００３】
従来、１９９２年からカード販売機に対し継続的に設計と量産の研究開発を実施し今に至り、認定された台湾実用新案公開第３４９６６９号公報（カード折畳機の排出口調整装置）、台湾実用新案公開第３４９６７０号公報（カード折畳機の三つ葉形状シャフト調整装置）において、カードの厚みの微細な差によりカード排出時の円滑さに直接影響することが明らかになっている。
更に、図１２，１３に示すように、公知の台湾実用新案公開第４０５７３３号公報（カード折畳機の排出口調整装置）は、カードスタッカーの出口の隙間を調整する装置であり、カードを収納可能な収納体及びカードの排出を提供する転送装置により構成されてなり、収容体Ａの二つの側面板Ａ１の間、及び外側の適当な位置には転送装置Ｂの各モジュールを固定してなり、収容体Ａのカード排出口の二つの側面板Ａ１の上方には調整装置Ｃが固定されてなり、カードＤを排出可能な適当な隙間が形成されてなる。その内、調整装置Ｃは台座Ｃ１及び蓋体（蓋板）Ｃ２が形成する空間に上下に移動可能な活動調整板Ｃ３を収容してなり、活動調整板Ｃ３上部の螺子孔内には調整用のつまみを螺合してなり、上述の構造により、つまみＣ４を回転させ活動調整板Ｃ３を上下に移動させ、簡易に収容体Ａの底板Ａ２上のつかみＡ２１と調整装置Ｃの活動調整基板Ｃ３の下縁との間にカードＤの排出に適当な隙間を形成することができ、上述の公知の技術は効率を向上させているが、但し、その全体の構造は複雑且つ組み立てが困難であり、製造及び組み立て時に全体的なコストが増大する。
更に、上記の排出口隙間調整装置は、カードＤの厚さが薄い場合に、カードＤの厚さと等しくなるように精密に隙間の高度を調整することができず、隙間の誤差により二枚のカードが前後に重なって排出されることが容易に発生するのである。
【特許文献１】台湾実用新案公開第３４９６６９号公報
【特許文献２】台湾実用新案公開第３４９６７０号公報
【特許文献３】台湾実用新案公開第４０５７３３号公報
【発明の開示】
【発明が解決しようとする課題】
【０００４】
本発明は、上述した問題点に鑑みてなされたもので、カード等の排出において、伝送ローラーと排出ローラーとの間にはカード分離ローラーを設けてなり、伝送ローラーがカードを伝送する時、逆回転されたカード分離ローラーが２枚に完全に重なったカードを前後に分離した後に、カード分離ローラーは正転し一枚目のカードを迅速に前面に排出すると同時に、伝送ローラーの逆回転を通過し二枚目のカードを後部に移動し停滞させ、二枚のカードの同時排出を防止することを課題とする。
【０００５】
本発明は、更に、カード分離ローラーはカードが排出される隙間を調整可能な調整装置に連接してなり、調整装置は台座上に螺子孔を設けてなり、その螺子孔につまみを螺合してなり、つまみを左右に回転させることで調節板を上下に移動し、調整板の片側は前面の導引部に延伸してなり、導引部と基板は相互に隙間を設けてなり、収容空間に予め収容されたカードを滑動し通過させてなり、このようにして、つまみを動かすことによりカードを排出する隙間を調整すると共に、カード分離ローラーを上下に移動し、カード分離ローラーとカードとの隙間を調整することを可能とすることを課題とする。
【課題を解決するための手段】
【０００６】
本発明のカード排出方法は、筐体内に伝送ローラー及び排出ローラーを収容してなり、伝送ローラーと排出ローラーとの間にはカード分離ローラーを設けてなり、一枚目のカードが伝送ローラーの排出口方向の回転を通過して送出される時、排出口と反対方向に逆回転するカード分離ローラーにより重なったカードを分離した後、カード分離ローラーが正回転し一枚目のカードを排出ローラーの方向に送出し、二枚目のカードを伝送ローラーにより後部に移動或いは元の位置に停滞させて、二枚のカードが同時に排出されることを防止している。
【０００７】
すなわち、請求項１の発明は、筐体内に伝送ローラー及び排出ローラーを収容してなり、伝送ローラーと排出ローラーとの間にはカード分離ローラーを設けてなり、一枚目のカードが伝送ローラーの排出口方向の回転を通過して送出される時、排出口と反対方向に逆回転するカード分離ローラーにより重なったカードを分離した後、カード分離ローラーが正回転し一枚目のカードを排出ローラーの方向に送出し、二枚目のカードを伝送ローラーにより後部に移動或いは元の位置に停滞させるとともに、前記伝送ローラーと排出ローラーとの間に調整装置を設置してなり、調整装置は調整板及びカード分離ローラーを具有し、カード分離ローラーは調整板の移動に連動して上下に移動することを特徴とした、二枚のカードが同時に排出されることを防止するカード排出方法である。
【０００８】
請求項２の発明は、前記筐体は中空の収容体にてなり、筐体内には基板を備えてなり、基板上部の中空部には予めカードを積み重ねておける収容空間が形成されてなり、基板下部の中空部には伝送ローラーを収容する収容空間が形成されてなり、更に基板の片側には排出口を設けてなり、排出ローラーは伝送ローラー及び排出口の間に位置してなることを特徴とした、請求項１に記載の二枚のカードが同時に排出されることを防止するカード排出方法である。
【０００９】
請求項３の発明は、前記調整装置は台座上の螺子孔につまみを螺合してなり、つまみを動かすことで該調整装置の調整板を上下に移動させ、調整板の片側は前面の導引部に向かって延伸してなり、導引部の前面には調整装置のカード分離ローラーを設置してなることを特徴とした、請求項１に記載の二枚のカードが同時に排出されることを防止するカード排出方法である。
請求項４の発明は、前記カード分離ローラーは楕円状にてなることを特徴とした、請求項１に記載の二枚のカードが同時に排出されることを防止するカード排出方法である。
【発明の効果】
【００１０】
本発明の二枚のカードが同時に排出されることを防止するカード排出方法は、筐体内に伝送ローラー及び排出ローラーを収容してなり、伝送ローラーと排出ローラーとの間にはカード分離ローラーを設けてなり、一枚目のカードが伝送ローラーの排出口方向の回転を通過して送出される際、排出口と反対方向に逆回転するカード分離ローラーにより重なったカードを分離した後、カード分離ローラーが正回転し一枚目のカードを排出ローラーの方向に送出し、二枚目のカードを伝送ローラーにより後部に移動或いは元の位置に停滞させるので、確実に一回に一枚のカードを送出することができ、二枚のカードが同時に排出されることを確実に防止することができる。
【発明を実施するための最良の形態】
【００１１】
本発明の好適な二枚のカードが同時に排出されることを防止するカード排出方法の実施例を図面に沿って説明する。
本発明の実施例の２枚のカードが同時に排出されることを防止するカード排出方法の詳細を説明するが、図１，２，３，４に示すように、本考案のカード排出方法に用いるカード排出装置は、筐体１内に伝送ローラー２、排出ローラー３、及び調整装置４を収容し、筐体１は中空の収容体にてなり、筐体１内には基板１１を設け、基板１１は複数の通孔１１１を設けており、基板１１の両側面には側面板１２が結合され、基板１１上部の中空部には予めカードを収容することができる収容空間１３が形成されている。前記基板１１下部の中空部には、伝送ローラー２を収容可能な収容空間１４が形成され、更に基板１１前面には排出口１５が設けられている。
【００１２】
前記伝送ローラー２は、筐体１の収容空間１４内に設置され、基板１１の通孔１１１の箇所に位置し、伝送ローラー２の一部分は基板１１上部に露出し、伝送ローラー２は収容空間１３内に堆積されたカードを排出口１５の方向に移動し送出し、二つの排出ローラー３の隙間内に送り出す。
前記排出ローラー３は、伝送ローラー２及び筐体１の排出口１５の間に位置してなり、排出ローラー３はカード排出口１５にカードを移動し送出する。
【００１３】
前記調整装置４は、図５に示すように、筐体１の収容空間１３内に設置され、伝送ローラー２及び排出ローラー３の間に位置し、調整装置４は台座４１上に螺子孔４１１を設け、つまみ４２を螺子孔４１１内に螺合してなり、つまみ４２は調整板４３を上下に移動し、調整板４３の片側は前面の導引部４３１に向かい延伸し、導引部４３１と基板１１は相互に隙間を設けてなり、収容空間１３内に予め設置されたカードを滑動し送出し、調整板４３の他側は推移部４３２に延伸してなり、推移部４３２はシャフト４４１を具有するカード分離ローラー４４と調整板４３を同時に上下に移動し、シャフト４４１の両端は二つの側面板１２に設けられた調整孔１２１内に穿合され、カード分離ローラー４４は楕円状にてなる。
【００１４】
更に、本発明の実施例に伝送ローラー２、排出ローラー３、及びカード分離ローラー４４は歯車組５と組み合わせされ、歯車組５は駆動歯車５１により被動歯車５２を連動し伝送ローラー２、排出ローラー３、及びカード分離ローラー４４に正、逆回転動作を形成し、伝送ローラー２に連接する被動歯車５２は単一方向歯車にてなり、伝送ローラー２、排出ローラー３、及びカード分離ローラー４４はシャフトを設け、対応する歯車に結合回転運動を構成している。
【００１５】
前記筐体１の収容空間１３に、予め複数のカードを積み重ね、カードの上に圧力を加え、例えば、カードの上に適当な重量の圧力板１６を載置、或いはバネ抵抗等を利用し、カードを送出する時に伝送ローラー２とカードの摩擦力を増加し、円滑なカードの送出を達成し、圧力板１６を組み合わせることでカード上に圧力を加えカードの送出を実施するが、この部分は本発明の重点ではない為、簡易な説明までに留める。
【００１６】
図４，５，７，９に示すように、筐体１の収容空間１３内に複数のカード７を積み重ね、筐体１の基板１１上のカードを排出する隙間を適当に調整する時、調整装置４の調整用のつまみ４２を左右に旋転させ、調整基板４３を上下に移動し、カード分離ローラー４４を同時に連動し上下に移動させ、導引部４３１と基板１１との間のカード７が通過する隙間を調整し、カードを送出した際、制御回路（図１１参照）を通してモーター６を制御し歯車組５の駆動歯車５１を正回転させ、伝送ローラー２を排出口１５の方向に回転させ、排出ローラー３は伝送ローラー２と反対方向に回転し、更に、一般のカード７の厚さは極めて薄い為、調整装置４が調整するカード７が通過する隙間は十分に精密でなければならず、もし調整した隙間が大きすぎる場合は、２枚のカード７が重なり導引部４３１の箇所にて一緒に送出されてしまい、この時、カード分離ローラー４４を通して上部のカード７を後部に分離し、（図５，６参照）２枚目のカード７と一枚目のカード７を前後に離し、モーター６が駆動歯車５１を逆回転し、カード分離ローラーを正常回転に変え一枚目のカード７を前面に送出し（図７，８参照）、一枚目のカード７を排出口１５に送出させてなり、伝送ローラー２の被動歯車５２（図４参照）は単一方向歯車である為、モーター６が駆動歯車５１を逆回転させる時、２枚目のカード７は伝送ローラー２の箇所に停留し（図９，１０参照）、したがってカード分離ローラー４４の設置により、逆回転する時に、２枚が完全に重なったカード７を前後に分離することができ、正常回転する時に、一枚目のカード７を迅速に前面に送出して、カード７が転送の過程において停滞することを防止し、同時に２枚のカードが重なって排出することを防ぎ、確実に一度に一枚のカードを送出し、カード排出口１５からカードを一枚毎に排出することができる。
この駆動制御回路の１例を図１１に示して簡単に説明すると、ＴＰ４はＬｏｗに調整してなり、ＣＯＮＴＩＮＵＥはＬｏｗに調整してなり、ＴＰ２はＨｉからＬｏｗに転換し、ＴＰはＨｉに調整してなり、よってモーターが正常回転し、カードは出力方向に運ばれ、ＴＰ２はＲＣ回路の充電を経由して、ＬｏｗからＨｉに転換し、ＴＰはＬｏｗになり、この時、カードは既にローラーの間に到達してなり、モーターが出力カードローラーを経由して一枚目のカードを排出し、二枚目のカードはモーターの反転によりカード収容箇所に戻り、一枚目のカードのみが取り出されことができる。
【００１７】
更に、上述の実施例の調整装置４は、調整する時、調整板４３を通してカード分離ローラー４４を上下に移動させることができるが、カード分離ローラー４４は調整装置４と分離させることも可能であり、導引部４３１の前面に単独で設置し、カード分離ローラー４４をカード７が通過する隙間に合わせることができ、このような簡易な修飾及び構造の変化も同様に本発明の均等の範囲内である。
更に、本発明は上述の実施例における歯車組５は、伝送ローラー２、排出ローラー３、及びカード分離ローラー４４に正、逆回転動作をさせているが、歯車組５はベルト、縄、或いは、鎖状部材等によっても変わることができ、このような簡易な修飾及び構造の変化も同様に本発明の均等の範囲内である。
【００１８】
本発明の実施例のカード排出方法は、筐体内に伝送ローラー及び排出ローラーを収容し、伝送ローラーと排出ローラーとの間にはカード分離ローラーを設け、一枚目のカードが伝送ローラーの排出口方向の回転を通過して送出される時、排出口と反対方向に逆回転するカード分離ローラーにより重なったカードを分離した後、カード分離ローラーが正回転し一枚目のカードを排出ローラーの方向に送出し、二枚目のカードを伝送ローラーにより後部に移動或いは元の位置に停滞させ、確実に一回に一枚のカードを送出し、確実に二枚のカードが同時に排出されることを防止する
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができることは勿論である。
【図面の簡単な説明】
【００１９】
【図１】本発明の実施例の立体図である。
【図２】本発明の実施例の立体分解図である。
【図３】本発明の実施例の局部分解図である。
【図４】本発明の実施例の局部断面図である。
【図５】本発明の実施例のカードを送出時の断面図である。
【図６】本発明の実施例の局部拡大図である。
【図７】本発明の実施例のカード排出時の断面図である。
【図８】本発明の実施例の局部拡大図である。
【図９】本本発明の実施例のカード排出時の断面図である。
【図１０】本発明の実施例の局部拡大図である。
【図１１】本発明の実施例の制御回路図である。
【図１２】従来公知の立体斜視図である。
【図１３】従来公知の断面図である。
【符号の説明】
【００２０】
１ 筐体
１１ 基板
１１１ 通孔
１２ 側面板
１２１ 調整孔
１３ 収容空間
１４ 収容空間
１５ 排出口
１６ 圧力板
２ 伝送ローラー
３ 排出ローラー
４ 調整装置
４１ 台座
４１１ 螺子穴
４２ つまみ
４３ 調整板
４３１ 導引部
４３２ 推進部
４４ カード分離ローラー
４４１ シャフト
５ 歯車組
５１ 駆動歯車
５２ 被動歯車
６ モーター
７ カード
Ａ 収容体
Ａ１ 側面板
Ａ２ 底板
Ａ２１ つかみ
Ｂ 転送装置
Ｃ 調整装置
Ｃ１ 台座
Ｃ２ 蓋体(蓋板)
Ｃ３ 活動調整板
Ｃ４ つまみ
Ｄ カード
【図１】
0004537345.tif 000002
【図２】
0004537345.tif 000003
【図３】
0004537345.tif 000004
【図４】
0004537345.tif 000005
【図５】
0004537345.tif 000006
【図６】
0004537345.tif 000007
【図７】
0004537345.tif 000008
【図８】
0004537345.tif 000009
【図９】
0004537345.tif 000010
【図１０】
0004537345.tif 000011
【図１１】
0004537345.tif 000012
【図１２】
0004537345.tif 000013
【図１３】
0004537345.tif 000014